(57)【要約】【課題】ユーザーがズーム機能の操作方法を容易に把握できる撮像装置を提供すること。【解決手段】ズーム機能付きの撮像部と、撮像部が撮像した画像から所定の被写体を検出し、該検出した被写体の画像中の大きさを算出する被写体検出部と、検出した大きさを用いて、ユーザーにズーム操作方法を通知するか否かを判定する判定部と、判定部が通知すると判定したときは、ユーザーにズーム操作方法を通知する通知部とを具備する。【選択図】図１
2014116687.tif 000002
【特許請求の範囲】
【請求項１】
ズーム機能付きの撮像部と、
前記撮像部が撮像した画像から所定の被写体を検出し、該検出した被写体の画像中の大きさを算出する被写体検出部と、
前記検出した大きさを用いて、ユーザーにズーム操作方法を通知するか否かを判定する判定部と、
前記判定部が通知すると判定したときは、ユーザーにズーム操作方法を通知する通知部と
を具備することを特徴とする撮像装置。
【請求項２】
前記通知部は、タッチパネル付きの表示部を具備し、ズーム操作用のオブジェクトを前記表示部に表示することで、ユーザーにズーム操作方法を通知することを特徴とする請求項１に記載の撮像装置。
【請求項３】
前記通知部は、ズーム機能の操作方法を記載した文字列をユーザーに通知することで、ユーザーにズーム操作方法を通知することを特徴とする請求項１に記載の撮像装置。
【請求項４】
ズーム機能付きの撮像装置における撮像方法であって、
前記撮像装置が、撮像した画像から所定の被写体を検出し、該検出した被写体の画像中の大きさを算出する第１の過程と、
前記撮像装置が、前記検出した大きさを用いて、ユーザーにズーム操作方法を通知するか否かを判定する第２の過程と、
前記撮像装置が、前記第２の過程にて、通知すると判定したときは、ユーザーにズーム操作方法を通知する第３の過程と
を有することを特徴とする撮像方法。
【請求項５】
ズーム機能付きの撮像装置のコンピュータを、
前記撮像部が撮像した画像から所定の被写体を検出し、該検出した被写体の画像中の大きさを算出する被写体検出部、
前記検出した大きさを用いて、ユーザーにズーム操作方法を通知するか否かを判定する判定部、
前記判定部が通知すると判定したときは、ユーザーにズーム操作方法を通知する通知部
として機能させるためのプログラム。
【発明の詳細な説明】
【技術分野】
【０００１】
本発明は、撮像装置、撮像方法およびプログラムに関する。
【背景技術】
【０００２】
コンパクトデジタルカメラやデジタル１眼レフカメラ等の撮影に特化した機器におけるズーム操作は、一般的にレンズ部に搭載されたズームリング操作、またはWide/Teleキーや矢印キー等のズーム操作レバーにて行うものが大半である。しかし、携帯音楽端末や携帯電話等、タッチパネルを搭載した機器においては、タッチパネル上でのピンチ(２本の指でつまんだり開いたり)やフリック(１本指で１方向にスライドする)、またはタッチパネル上に表示されたズームボタン(ズームバー)にてズーム操作を行うものが多い。
【０００３】
従来、撮影した画像中の被写体を認識し、被写体の認識結果に応じて、撮影時の構図の決定を補助するための撮影ガイドを表示する撮像装置がある。この撮影ガイドとして、特許文献１には、カメラ画像に重ねる水平な補助線や、構図の是非を判断し、好ましくない構図であることの使用者への警告などが開示されている。
【先行技術文献】
【特許文献】
【０００４】
【特許文献１】特開２００９−２９０６３５号公報
【発明の概要】
【発明が解決しようとする課題】
【０００５】
しかしながら、非特許文献１のように、構図の決定を補助する撮影ガイドを表示する撮像装置においては、上述のタッチパネルを搭載した機器のようにズーム機能をタッチパネル上で操作する場合、どのように操作すればズーム機能を操作できるのか、ユーザーに分かり難いという問題がある。
【０００６】
本発明は、このような事情に鑑みてなされたもので、ユーザーがズーム機能の操作方法を容易に把握できる撮像装置、撮像方法およびプログラムを提供する。
【課題を解決するための手段】
【０００７】
この発明は上述した課題を解決するためになされたもので、本発明の一態様は、ズーム機能付きの撮像部と、前記撮像部が撮像した画像から所定の被写体を検出し、該検出した被写体の画像中の大きさを算出する被写体検出部と、前記検出した大きさを用いて、ユーザーにズーム操作方法を通知するか否かを判定する判定部と、前記判定部が通知すると判定したときは、ユーザーにズーム操作方法を通知する通知部とを具備することを特徴とする撮像装置である。
【発明の効果】
【０００８】
この発明によれば、ユーザーがズーム機能の操作方法を容易に把握できる。
【図面の簡単な説明】
【０００９】
【図１】この発明の第１の実施形態における撮像装置１０の構成を示す概略ブロック図である。
【図２】同実施形態による撮像装置１０の撮影処理を説明するフローチャートである。
【図３】同実施形態による表示部１５が表示するカメラビューの例Ｖ１を示す図である。
【図４】同実施形態による表示部１５が表示するカメラビューの例Ｖ２を示す図である。
【図５】この発明の第２の実施形態における表示部１５が表示するカメラビューの例Ｖ３を示す図である。
【発明を実施するための形態】
【００１０】
［第１の実施形態］
以下、図面を参照して、本発明の第１の実施形態について説明する。図１は、この発明の第１の実施形態による撮像装置１０の構成を示す概略ブロック図である。本実施形態における撮像装置１０は、例えば、カメラ付きのスマートフォンである。本実施形態における撮像装置１０は、カメラ部１１、カメラ画像振り分け部１２、物体検出部１３、制御部１４、表示部１５、操作部１６、撮影画像記憶部１７を含んで構成される。
【００１１】
カメラ部１１（撮像部）は、入射光を画像信号に変換する撮像素子と、撮像素子の面上に被写体の像を結像させるレンズ系とを有し、被写体を撮像して画像信号を生成する。カメラ部１１は、ズーム機能を有するが、該ズーム機能は、レンズ系の焦点距離を変更することで実現してもよいし、撮像素子が撮像した画像を拡大や縮小することで実現してもよい。
【００１２】
カメラ画像振り分け部１２は、カメラ部１１が生成した画像信号を、制御部１４からの指示に従い、物体検出部１３、表示部１５、撮影画像記憶部１７に振り分ける。カメラ画像振り分け部１２は、シャッターボタンが押下されて、制御部１４から撮像を指示されたときは、画像信号を撮影画像記憶部１７に入力し、撮影画像として記憶させる。また、カメラ画像振り分け部１２は、制御部１４から撮像を指示されていないときは、画像信号を表示部１５と物体検出部１３とに入力する。
【００１３】
物体検出部１３（被写体検出部）は、カメラ画像振り分け部１２から入力された画像信号が表す画像中から所定の物体を検出し、該物体の画像中の大きさを算出する。所定の物体の検出には、パターン認識など、公知の方法を用いることができる。物体検出部１３は、算出した大きさを示す情報を、制御部１４に入力する。本実施形態では、所定の物体として、人間の顔を検出し、大きさとして、顔として検出した領域の画素数を算出する。
【００１４】
なお、検出する所定の物体は、花や、車など、主要な被写体となる物体であれば何であってもよい。また、大きさとしては、検出した領域の縦または横の長さを算出してもよいし、両眼間の距離など特定部位間の長さを算出するようにしてもよい。また、物体検出部１３は、所定の物体を複数検出したときは、検出した複数の物体各々の大きさを算出し、それらのうち、最も大きいものの大きさを示す情報を制御部１４に入力するようにしてもよいし、それらの合計を示す情報を、大きさを示す情報として制御部１４に入力するようにしてもよい。
【００１５】
制御部１４（判定部）は、大きさを示す情報を用いた、ユーザーにズーム操作方法を通知するか否かの判定と、操作部１６から入力された操作指示情報を用いた、撮像装置１０全体の制御とを行う。具体的には、制御部１４は、物体検出部１３から入力された情報が示す顔の大きさが、予め設定された閾値よりも小さいときは、ユーザーにズーム操作方法を通知すると判定し、ズームガイドの表示を表示部１５に設定する。
【００１６】
また、制御部１４は、物体検出部１３から入力された大きさを示す情報が、予め設定された閾値よりも大きくなったときは、ズーム操作方法を通知しないと判定し、ズームガイドの非表示を表示部１５に設定する。また、制御部１４は、シャッターボタンが押下されたことを示す操作指示情報が操作部１６から入力されると、カメラ画像振り分け部１２に撮像を指示する。すなわち、カメラ画像振り分け部１２に画像信号を撮影画像記憶部１７に入力するように指示する。なお、制御部１４は、カメラ部１１のズーム機能の制御も行うが、詳細な説明を省略する。
【００１７】
表示部１５（通知部）は、液晶ディスプレイなどの表示デバイスを備え、カメラ画像振り分け部１２から入力された画像信号が表す画像に、制御部１４から指示されたズームガイドなどを重ねた画像を生成し、カメラビューとして表示する。なお、表示部１５がズームガイドを重ねるのは、制御部１４により、ズームガイドの表示を設定されているときのみである。
【００１８】
操作部１６は、表示部１５を覆うように配置され、表示部１５が表示している画像を透過させるタッチパネルを備える。すなわち、操作部１６は、タッチパネル付きディスプレイのタッチパネル部分を含み、表示部１５は、タッチパネル付きディスプレイのディスプレイ部分を含む。操作部１６は、該タッチパネルが検出した接触位置と、該接触位置に対応する位置に、表示部１５が表示しているオブジェクトとに基づき、操作指示情報を生成し、制御部１４に入力する。例えば、タッチパネルが検出した接触位置に対応する位置に、表示部１５が表示しているオブジェクトがシャッターボタンであれば、操作部１６は、シャッターボタンが押下されたことを示す操作指示情報を、制御部１４に入力する。
【００１９】
撮影画像記憶部１７は、ハードディスク、フラッシュメモリなどの書き込み可能なメモリであり、カメラ画像振り分け部１２から入力された画像信号を記憶する。なお、撮影画像記憶部１７は、入力された画像信号を、ＪＰＥＧ（Joint Picture Experts Group）ファイルなどの電子ファイルに変換して記憶するようにしてもよい。
【００２０】
図２は、撮像装置１０の撮影処理を説明するフローチャートである。撮像装置１０にて、撮影用のアプリケーションが起動されるなどして、撮影処理が開始されると、制御部１４は、シャッターボタンが押下されたか否かを判定する（Ｓ１）。この判定は、シャッターボタンが押下されたことを示す操作指示情報が、操作部１６から入力されたか否かにより行われる。すなわち、シャッターボタンが押下されたことを示す操作指示情報が入力されたときは、シャッターボタンが押下されたと判定し、該操作指示情報が入力されていないときは、シャッターボタンは押下されていないと判定する。
【００２１】
ステップＳ１にて、シャッターボタンが押下されたと判定したときは（Ｓ１−Ｙｅｓ）、制御部１４は、カメラ画像振り分け部１２に撮像を指示する。カメラ画像振り分け部１２は、撮像を指示されると、カメラ部１１から入力された画像信号を、撮影画像記憶部１７に入力し、記憶させ（Ｓ２）、撮影処理を終了する。
【００２２】
また、ステップＳ１にて、シャッターボタンが押下されていないと判定したときは（Ｓ１−Ｎｏ）、制御部１４は、カメラ画像振り分け部１２に撮像を指示しないので、カメラｂ振り分け部１２は、カメラ部１１から入力された画像信号を、物体検出部１３と表示部１５に入力する。表示部１５は、入力された画像信号が表す画像を、カメラビューとして表示する（Ｓ３）。このとき、表示部１５は、制御部１４によりズームガイド表示を設定されていれば、ズームガイドを重ねたカメラビューを表示する。
【００２３】
次に、物体検出部１３が、カメラ画像振り分け部１２から入力された画像信号に対して、顔の検出処理を行う。該検出処理により顔が検出されなかったときは（Ｓ４−Ｎｏ）、ステップＳ１に戻る。一方、該検出処理により顔が検出されたときは（Ｓ４−Ｙｅｓ）、ステップＳ５に進み、物体検出部１３は、検出した顔の大きさを示す情報を制御部１４に入力する。制御部１４は、入力された情報が示す大きさが、所定の閾値以下であるか否かを判定する（Ｓ５）。制御部１４は、該情報が示す大きさが所定の閾値以下であると判定したときは（Ｓ５−Ｙｅｓ）、ズームガイドの表示を表示部１５に設定し、ステップＳ１に戻る。
【００２４】
また、ステップＳ５にて、該情報が示す大きさが所定の閾値以下でないと判定したときは（Ｓ５−Ｎｏ）、制御部１４は、現在の設定がズームガイド表示であるか否かを判定する（Ｓ７）。ズームガイド表示でないと判定したときは（Ｓ７−Ｎｏ）、ステップＳ１に戻る。なお、ズームガイド表示でないと判定するのは、設定が何もされていないときか、設定がズームガイド非表示のときである。また、ステップＳ７に、設定がズームガイド表示であると判定したときは（Ｓ７−Ｙｅｓ）、制御部１４は、ズームガイドの非表示を表示部１５に設定した後（Ｓ８）、ステップＳ１に戻る。
【００２５】
図３は、表示部１５が表示するカメラビューの例Ｖ１を示す図である。図３に示すカメラビューＶ１は、検出された顔の大きさが閾値を超えておらず、ズームガイドＧ１が重ねられたカメラビューである。ボタンＳＢは、シャッターボタンである。ズームガイドＧ１は、「画面を２本の指でつまんで広げるとズームインできます！！」というように、ズーム機能の操作方法を記載した文字列である。すなわち、本実施形態におけるズームガイドは、ズーム機能の操作方法を記載した文字列を表示することで、ユーザーにズーム操作方法を通知している。
【００２６】
図４は、表示部１５が表示するカメラビューの例Ｖ２を示す図である。図４に示すカメラビューＶ２は、検出された顔の大きさが閾値を超えており、ズームガイドが重ねられていないカメラビューである。なお、ボタンＳＢは、シャッターボタンである。
【００２７】
このように、本実施形態における撮像装置１０は、主要な被写体（顔）の撮影画像中の大きさを検出し、閾値を超えていなければ、ズームガイドを表示するので、ユーザーは、ズーム操作が必要なときに、容易にズーム機能の操作方法を把握することができる。
なお、ズームガイドの表示を、主要な被写体の大きさが閾値を超えていないときのみ、すなわちズーム操作が必要なときとしたので、常に表示して、ユーザーがカメラビューを把握し難くなるのを防ぐことができる。
【００２８】
［第２の実施形態］
第１の実施形態におけるズームガイドは、ズーム機能の操作方法を通知する文字列であったが、第２の実施形態として、ズームガイドが、ズーム操作用のオブジェクトである場合を説明する。第２の実施形態における撮像装置１０の構成は、図１の撮像装置１０と同様であるが、表示するズームガイドが異なる。
【００２９】
図５は、本実施形態における表示部１５が表示するカメラビューの例Ｖ３を示す図である。図５に示すカメラビューＶ３は、検出された顔の大きさが閾値を超えておらず、ズームガイドＧ３が重ねられたカメラビューである。ボタンＳＢは、シャッターボタンである。ズームガイドＧ３は、左側にスライドさせるとズームインし、右側にスライドさせるとズームアウトする、ズーム機能を操作するためのスライドオブジェクトである。
【００３０】
このように、本実施形態における撮像装置１０は、主要な被写体（顔）の撮影画像中の大きさを検出し、閾値を超えていなければ、ズーム機能を操作するためのオブジェクトを表示するので、ユーザーは、ズーム操作が必要なときに、容易にズーム機能の操作方法を把握することができる。また、第１の実施形態と同様、ズーム機能を操作するためのオブジェクトの表示を、ズーム操作が必要なときとしたので、常に表示して、ユーザーがカメラビューを把握し難くなるのを防ぐことができる。
【００３１】
なお、上述の各実施形態において、制御部１４は、顔の大きさと比較する閾値を、状況に応じて変更するようにしてもよい。例えば、検出された顔の数が多いほど、閾値を小さくするようにしてもよい。あるいは、該閾値を、構図に応じて変更するようにしてもよい。例えば、検出された顔が画像の中央にあるときの方が、画像の端にあるときよりも閾値を大きくする、撮像装置１０を横にし、横長のフレームにしたときの方が、縦長のフレームにしたときよりも閾値を大きくするなどがある。
【００３２】
また、上述の各実施形態において、表示部１５は、ズームガイドをカメラビューに重ねて表示しているが、カメラビューの表示領域とは別の領域にズームガイドを表示するようにしてもよい。その場合、表示部１５は、カメラビューのみ表示するときは、表示部１５の表示領域全体を、カメラビューの表示領域とし、ズームガイドも表示するときは、表示部１５の表示領域を分割し、分割した一方にカメラビューを表示し、もう一方にズームガイドを表示するようにしてもよい。
【００３３】
また、図１における撮像装置１０の全機能あるいは一部機能を実現するためのプログラムをコンピュータ読み取り可能な記録媒体に記録して、この記録媒体に記録されたプログラムをコンピュータシステムに読み込ませ、実行することにより撮像装置１０を実現してもよい。なお、ここでいう「コンピュータシステム」とは、ＯＳや周辺機器等のハードウェアを含むものとする。
【００３４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３５】
以上、この発明の実施形態を図面を参照して詳述してきたが、具体的な構成はこの実施形態に限られるものではなく、この発明の要旨を逸脱しない範囲の設計変更等も含まれる。
【００３６】
（１）本発明の一態様は、ズーム機能付きの撮像部と、前記撮像部が撮像した画像から所定の被写体を検出し、該検出した被写体の画像中の大きさを算出する被写体検出部と、前記検出した大きさを用いて、ユーザーにズーム操作方法を通知するか否かを判定する判定部と、前記判定部が通知すると判定したときは、ユーザーにズーム操作方法を通知する通知部とを具備することを特徴とする撮像装置である。
【００３７】
これにより、ユーザーは、ズーム操作が必要なときに、容易にズーム機能の操作方法を把握することができる。
【００３８】
（２）本発明の他の態様は、（１）に記載の撮像装置であって、前記通知部は、タッチパネル付きの表示部を具備し、ズーム操作用のオブジェクトを前記表示部に表示することで、ユーザーにズーム操作方法を通知することを特徴とする。
【００３９】
（３）本発明の他の態様は、（１）に記載の撮像装置であって、前記通知部は、ズーム機能の操作方法を記載した文字列をユーザーに通知することで、ユーザーにズーム操作方法を通知することを特徴とする。
【００４０】
（４）本発明の他の態様は、ズーム機能付きの撮像装置における撮像方法であって、前記撮像装置が、撮像した画像から所定の被写体を検出し、該検出した被写体の画像中の大きさを算出する第１の過程と、前記撮像装置が、前記検出した大きさを用いて、ユーザーにズーム操作方法を通知するか否かを判定する第２の過程と、前記撮像装置が、前記第２の過程にて、通知すると判定したときは、ユーザーにズーム操作方法を通知する第３の過程とを有することを特徴とする。
【００４１】
（５）本発明の他の態様は、ズーム機能付きの撮像装置のコンピュータを、前記撮像部が撮像した画像から所定の被写体を検出し、該検出した被写体の画像中の大きさを算出する被写体検出部、前記検出した大きさを用いて、ユーザーにズーム操作方法を通知するか否かを判定する判定部、前記判定部が通知すると判定したときは、ユーザーにズーム操作方法を通知する通知部として機能させるためのプログラムである。
【符号の説明】
【００４２】
１０…撮像装置  １１…カメラ部  １２…カメラ画像振り分け部  １３…物体検出部  １４…制御部
１５…表示部  １６…操作部  １７…撮影画像記憶部
【図１】
2014116687.tif 000003
【図２】
2014116687.tif 000004
【図３】
2014116687.tif 000005
【図４】
2014116687.tif 000006
【図５】
2014116687.tif 000007